(57)【要約】【課題】議事録の作成を自動で行なうことができ、かつ議事録における発言とその発言者とを確認し得る。【解決手段】実施形態によれば、通信ネットワークに接続される複数の端末の交換処理を実行するサーバ装置において、選択手段と、変換手段と、記憶制御手段とを備える。選択手段は、複数の端末から送出された音声信号の信号レベルに基づいて音声信号を選択する。変換手段は、選択手段により選択された音声信号を文字列に変換する。記憶制御手段は、この変換手段によって変換された文字列を、選択手段により選択された音声信号を送出する端末のユーザを特定するユーザ番号と選択手段により選択された音声信号が送出された時間とを対応付けて管理テーブルに記憶する。【選択図】      図１０
2012119914.tif 000002
【特許請求の範囲】
【請求項１】
通信ネットワークに接続される複数の端末の交換処理を実行するサーバ装置において、
前記複数の端末から送出された音声信号の信号レベルに基づいて音声信号を選択する選択手段と、
前記選択手段により選択された音声信号を文字列に変換する変換手段と、
この変換手段によって変換された文字列を、前記選択手段により選択された音声信号を送出する端末のユーザを特定するユーザ番号と前記選択手段により選択された音声信号が送出された時間とを対応付けて管理テーブルに記憶する記憶制御手段とを具備するサーバ装置。
【請求項２】
前記選択手段は、前記複数の端末から送出される音声信号の信号レベルのうち、最大の信号レベルの音声信号を選択する請求項１記載のサーバ装置。
【請求項３】
さらに、前記管理テーブルにおいて同じユーザ番号の文字列が連続する場合に、この連続する文字列を結合して文章を生成する制御手段と、
この制御手段により生成される文章と、前記ユーザ番号とを対応付けた議事録テーブルを生成する生成手段とをさらに具備する請求項１記載のサーバ装置。
【請求項４】
さらに、前記選択手段の出力のうち予め決められた信号レベル以下をノイズとして除去し前記変換手段に供給するノイズ除去手段を備える請求項１記載のサーバ装置。
【請求項５】
前記議事録生成手段で生成される議事録テーブルを記憶する議事録記憶手段をさらに備える請求項３記載のサーバ装置。
【請求項６】
前記議事録生成手段で生成される議事録テーブルを、前記複数の端末のうちの少なくとも１つに向けて送出する送出手段を備える請求項３記載のサーバ装置。
【請求項７】
前記制御手段は、前記ユーザ番号と前記文字列とを対応付けたデータを、前記複数の端末のうちの少なくとも１つに向けて送出する送出手段を備える請求項３記載のサーバ装置。
【請求項８】
通信ネットワークに接続される複数の端末の交換処理を実行するサーバ装置の議事録生成方法において、
前記複数の端末から送出された音声信号の信号レベルに基づいて音声信号を選択し、
前記選択された音声信号を文字列に変換し、
前記変換された文字列を、前記選択された音声信号を送出する端末のユーザを特定するユーザ番号と前記選択された音声信号が送出された時間とを対応付けて管理テーブルに記憶するサーバ装置の議事録生成方法。
【請求項９】
サーバ装置により実行されるプログラムであって、前記サーバ装置を
複数の端末から送出された音声信号の信号レベルに基づいて音声信号を選択する選択手段と、
前記選択手段により選択された音声信号を文字列に変換する変換手段と、
この変換手段によって変換された文字列を、前記選択手段により選択された音声信号を送出する端末のユーザを特定するユーザ番号と前記選択手段により選択された音声信号が送出された時間とを対応付けて管理テーブルに記憶する記憶制御手段と
して動作させるプログラム。
【発明の詳細な説明】
【技術分野】
【０００１】
本発明の実施形態は、端末間の会議通信接続を行なうサーバ装置、サーバ装置の議事録生成方法及びプログラムに関する。
【背景技術】
【０００２】
近年、ＩＰ(Internet Protocol)網を介して、双方向に画像や音声をパケットデータとして、リアルタイムに送受信するＩＰ電話システムが普及している。このＩＰ電話システムでは、ＩＰ網に接続されるＩＰ電話端末間で音声通信を行うことができるとともに、ＩＰ電話端末と公衆網に接続される電話端末との間で音声通信を行えることは勿論のことである。
【０００３】
また、上記ＩＰ電話システムでは、特定のＩＰ電話端末から他のＩＰ電話端末の話者を招集し、三者以上の会議通話を行うサービスを提唱されている。
【先行技術文献】
【特許文献】
【０００４】
【特許文献１】特開２００２−１０１２０５号公報
【発明の概要】
【発明が解決しようとする課題】
【０００５】
ところで、上記ＩＰ電話システムでは、会議通話を行う場合、会議の主催者または書記者が議事録を作成している。この議事録の作成は、主催者または書記者が参加者の発言を紙等に記入することにより行われる。このため、議事録の作成に多くの時間と労力を必要とし、しかも作成作業の大半が主催者または書記者の手により行われるため、人為的ミスの発生や議事録の記載漏れ等が多い。
【０００６】
本発明の目的は、通話の際に、議事録の作成を人手を要することなく自動で行なうことができ、かつ議事録における発言とその発言者とを確認し得るサーバ装置、サーバ装置の議事録生成方法及びプログラムを提供することにある。
【課題を解決するための手段】
【０００７】
実施形態によれば、通信ネットワークに接続される複数の端末の交換処理を実行するサーバ装置において、選択手段と、変換手段と、記憶制御手段とを備える。選択手段は、複数の端末から送出された音声信号の信号レベルに基づいて音声信号を選択する。変換手段は、選択手段により選択された音声信号を文字列に変換する。記憶制御手段は、この変換手段によって変換された文字列を、選択手段により選択された音声信号を送出する端末のユーザを特定するユーザ番号と選択手段により選択された音声信号が送出された時間とを対応付けて管理テーブルに記憶する。
【図面の簡単な説明】
【０００８】
【図１】実施形態のビデオ会議システムを示す概略構成図である。
【図２】実施形態の会議サーバの具体的構成を示すブロックである。
【図３】上記図２に示したログイン管理テーブルの記憶内容の一例を示す図である。
【図４】上記図２に示した参加者テーブルの記憶内容の一例を示す図である。
【図５】上記図２に示したラウドスピーカテーブルの記憶内容の一例を示す図である。
【図６】上記図２に示した発言者テーブルの記憶内容の一例を示す図である。
【図７】上記図２に示したリアルタイムテキストデータテーブルの記憶内容の一例を示す図である。
【図８】上記図２に示した議事録テーブルの記憶内容の一例を示す図である。
【図９】実施形態において、認証制御を実行する際の会議サーバの制御手順を示すフローチャートである。
【図１０】実施形態において、端末間でビデオ会議を行っている際における議事録作成までのシーケンスを示すものである。
【図１１】ラウドスピーカセレクタの処理例を示す特性図である。
【図１２】ラウドスピーカセレクタで処理された音声信号を出力する例を示す特性図である。
【図１３】ラウドスピーカセレクタで選択された音声チャネルの合成例を示す図である。
【図１４】ノイズキャンセラで処理された音声信号の例を示す図である。
【図１５】発言者とテキストデータとの表示例を示す図である。
【図１６】発言者と議事録の文章との表示例を示す図である。
【図１７】端末間で会議接続を行なう動作を示すシーケンス図である。
【発明を実施するための形態】
【０００９】
以下、実施の形態について、図面を参照して説明する。
【００１０】
本実施形態では、ラウドスピーカセレクタにより発言者を検出し、音声認識テキスト変換（スピーチ・トウ・テキスト）技術で発言をテキストデータに変換し、このテキストデータにリンクさせることで、自動作成した議事録に発言者情報を合わせて表示できるようにした。
【００１１】
図１は、一実施形態に係わるビデオ会議システムを示す概略構成図である。  
このシステムは、通信ネットワークＮＷを有する。通信ネットワークＮＷには、複数の端末ＰＣ１〜ＰＣｎ（ｎは自然数）が接続されている。なお、端末ＰＣ１〜ＰＣｎには、通話処理機能とメディア情報処理機能とを備えたＩＰ電話機の他に、携帯電話機、音声通信機能と無線ＬＡＮアクセス機能とを備えた情報端末とがある。
【００１２】
また、通信ネットワークＮＷには、会議サーバＳＶが接続されている。会議サーバＳＶは、通信ネットワークＮＷ上に接続された複数の端末ＰＣ１〜ＰＣｎ間で、セッションを確立する交換制御機能を備える。そして、セッション確立後は、発信側と着信側の端末間でＲＴＰパケットを送受信することで、映像及び音声の通信を行なう。このとき、端末ＰＣ１〜ＰＣｎに対し予め記憶されているユーザＩＤ及びパスワードを用いて認証を行う。
【００１３】
図２は、上記会議サーバＳＶの具体的構成を示すブロック図である。  
すなわち、会議サーバＳＶは、ＩＰ制御部１１と、信号処理部１２と、呼制御部１３と、記憶部１４とを備えている。これらＩＰ制御部１１と、信号処理部１２と、呼制御部１３と、記憶部１４は、データハイウェイ１５を介して互いに接続されている。
【００１４】
ＩＰ制御部１１には、通信ネットワークＮＷが必要に応じて接続される。ＩＰ制御部１１は、接続された通信ネットワークＮＷとの間でインタフェース処理を行う。また、ＩＰ制御部１１は、上記インタフェース処理に係わる種々の制御情報の授受を、データハイウェイ１５を介して呼制御部１３との間で行う。
【００１５】
信号処理部１２は、ＩＰ制御部１１で受信した制御メッセージ及びＲＴＰパケットを処理する。また、信号処理部１２は、本実施形態に係わる機能として、ラウドスピーカセレクタ１２１と、ノイズキャンセラ１２２と、音声・テキスト変換部１２３とを備えている。ラウドスピーカセレクタ１２１は、各端末ＰＣ１〜ＰＣｎから送出される音声信号の信号レベルを比較し、この比較結果から最大の信号レベルの音声信号を選択する。
【００１６】
ノイズキャンセラ１２２は、ラウドスピーカセレクタ１２１の出力から予め決められた閾値以下の音声信号をノイズとしてミュート（消音）する。音声・テキスト変換部１２３は、ノイズキャンセラ１２２の出力を音声信号から文字データに変換し、記憶部１４に出力する。
【００１７】
呼制御部１３は、ＣＰＵ、ＲＯＭ、ＲＡＭなどを有して構成され、ソフトウェア処理により会議サーバＳＶの各部の制御を行う。また、呼制御部１３は、認証制御部１３１と、音声チャネル割り当て部１３２と、テーブル作成部１３３と、発言者−テキスト関連付け部１３４と、議事録生成部１３５と、議事録通知部１３６とを備えている。
【００１８】
認証制御部１３１は、ログイン要求する例えば端末ＰＣ１を認証する。また、認証制御部１３１は、記憶部１４のログイン管理テーブル１４１中に同じユーザＩＤが既に登録されている場合に、その旨のメッセージを端末ＰＣ１に通知する。ログイン管理テーブル１４１は、各端末ＰＣ１〜ＰＣｎのログイン状態を管理するためのテーブルで、図３に示すように、端末ＰＣ１〜ＰＣｎそれぞれの端末番号と、各端末ＰＣ１〜ＰＣｎに割り当てられるユーザＩＤと、ユーザ名との対応関係を表すデータが記憶されている。なお、ログインされていなければ、ユーザＩＤの欄は空白となる。
【００１９】
音声チャネル割り当て部１３２は、例えば端末ＰＣ１，ＰＣ２，ＰＣ３間で会議接続が行なわれた場合に、各端末ＰＣ１，ＰＣ２，ＰＣ３ごとに通信ネットワークＮＷ上で使用する音声チャネル（＃１〜＃Ｎ）を割り当て、参加者テーブル１４２を生成して記憶部１４に記憶する。参加者テーブル１４２は、会議の参加者を管理するためのテーブルで、図４に示すように、参加者ＩＤと、参加者名と、可変ネットワークアドレスとなるＩＰアドレスと、ポート番号との対応関係を表すデータが記憶されている。なお、音声チャネルは、ＩＰアドレスとポート番号との組み合わせとなる。また、参加者ＩＤ及び参加者名は、ログイン時に使用するユーザＩＤ及びユーザ名と同一である。
【００２０】
テーブル作成部１３３は、ラウドスピーカセレクタ１２１により選択された音声チャネルに対応する参加者ＩＤと、単位時間とを対応付けたラウドスピーカテーブル１４３を生成して記憶部１４に記憶する。ラウドスピーカテーブル１４３は、図５に示すテーブルとなる。また、単位時間は、ラウドスピーカセレクタ１２１による出力からノイズキャンセラ１２２による処理及び音声・テキスト変換部１２３による処理までの時間を含む。また、テーブル作成部１３３は、ノイズキャンセラ１２２によりキャンセルされた音声チャネル＃１が存在する場合に、ラウドスピーカテーブル１４３中の該当する音声チャネル＃１に対応する参加者ＩＤ及びその単位時間を消去する。すると、図６に示す発言者テーブル１４４が記憶部１４に記憶される。
【００２１】
発言者−テキスト関連付け部１３４は、音声・テキスト変換部１２３による変換時に発言者テーブル１４４を参照し、さらに参加者テーブル１４２を参照して、図７に示すように、参加者ＩＤと参加者名と文字データとを対応付けたリアルタイムテキストデータテーブル１４５を生成し記憶部１４に記憶する。そして、リアルタイムテキストデータテーブル１４５から同じ参加者名の文字データが連続するか否かを判定し、同じ参加者名が連続すると判定した時間帯の文字データを合成して文章を生成する。
【００２２】
議事録生成部１３５は、図８に示すように、発言者−テキスト関連付け部１３４により生成される文章と、参加者ＩＤとを対応付けたテーブルを議事録テーブル１４６として生成し、記憶部１４に記憶する。
【００２３】
議事録通知部１３６は、議事録情報を、参加している端末ＰＣ１，ＰＣ２，ＰＣ３に送出して表示器に表示させる。
【００２４】
次に、上記構成によるビデオ会議システムの動作を説明する。  
（ログイン動作）  
図９は、上記認証制御を実行する際の会議サーバＳＶの制御手順を示すフローチャートである。
【００２５】
ビデオ会議を実行する場合に、例えば端末ＰＣ１のユーザは、会議サーバＳＶにアクセスする。
【００２６】
そして、端末ＰＣ１のユーザは、ログイン画面において、ユーザＩＤ及びパスワードを入力し、会議サーバＳＶへのログインを試みる。これらの入力が終了すると、これらユーザＩＤ、パスワード及び端末番号を会議サーバＳＶに向け送信する。
【００２７】
端末ＰＣ１からのログイン要求を受け取った会議サーバＳＶは、ステップＳＴ９ａからステップＳＴ９ｂに移行して、ここでユーザＩＤが予め記憶装置４に登録されているユーザＩＤ群に一致するものであるかをチェックし、無ければログインを許可せず、ステップＳＴ９ｂからステップＳＴ９ｃに移行して、ここで端末ＰＣ１へユーザ名が存在しない旨をエラーメッセージとして返送する。
【００２８】
また、同一ユーザＩＤでの二重ログインを防ぐため、会議サーバＳＶは、登録されているユーザＩＤと一致したとしても、既にそのユーザＩＤでログイン済みであれば、新たなログインを許可せず、ステップＳＴ９ｄからステップＳＴ９ｃに移行してここで端末ＰＣ１へログイン済みを知らせる旨をエラーメッセージとして返送する。
【００２９】
ユーザＩＤに関してＯＫであれば、会議サーバＳＶは、ステップＳＴ９ｄからステップＳＴ９ｅに移行して、ここでパスワードの認証を行なう。ここで、パスワードが正しくなければ、会議サーバＳＶはステップＳＴ９ｅからステップＳＴ９ｃに移行して、ここでその旨をエラーメッセージで端末ＰＣ１へ返送する。
【００３０】
一方、全てのチェックがＯＫであれば、会議サーバＳＶはステップＳＴ９ｅからステップＳＴ９ｆへ移行して、ここで端末ＰＣ１へ認証完了のメッセージを返送し、ログイン中のユーザとしてログイン管理テーブル１４１への登録を行なう。
【００３１】
（ビデオ会議）  
図１０は、端末ＰＣ１，ＰＣ２，ＰＣ３間でビデオ会議を行っている際における議事録作成までのシーケンスを示すものである。
【００３２】
いま、端末ＰＣ１，ＰＣ２，ＰＣ３間で通信リンクが確立しているものとする。端末ＰＣ１，ＰＣ２，ＰＣ３ごとに割り当てられる音声チャネル（＃１〜＃３）の音声信号は、信号処理部１２内のラウドスピーカセレクタ１２１に入力される（図１０（１））。
【００３３】
図１１は、ラウドスピーカセレクタ１２１の処理例を示している。ラウドスピーカセレクタ１２１は、音声チャネル＃１〜＃３のレベルを単位時間ごとに比較し、最もレベルの大きいチャネルを選択する。ラウドスピーカセレクタ１２１で選択されたチャネルに対応する参加者ＩＤは、単位時間ごとにラウドスピーカテーブル１４３に記録される（図１０（２））。
【００３４】
ラウドスピーカセレクタ１２１を通過した各音声チャネル＃１〜＃３の音声信号は、各音声チャネルごとに用意されたアンプ１２１１，１２１２，１２１３に入力される。そして、ゲインコントローラ１２４による各アンプ１２１１，１２１２，１２１３の利得制御により、図１２に示すように、選択されたチャネルの音声信号はそのまま出力され、選択されたチャネル以外の音声信号はミュートされる。このゲインコントローラ１２４は、ラウドスピーカセレクタ１２１から供給される音声レベルの比較結果を示す情報に基づいて、各アンプ１２１１，１２１２，１２１３の利得制御を行うものである。
【００３５】
各アンプ１２１１，１２１２，１２１３の出力は、加算器１２５により合成される（図１０（３））。この加算器１２５の出力は、図１３に示すように、時間軸上に各音声チャネル（＃１〜＃３）の音声が配列された音声信号となる。
【００３６】
全ての音声チャネルを合成した音声信号は、ノイズキャンセラ１２２に入力されて、ノイズ消去が行われる（図１０（４））。ノイズキャンセラ１２２は、図１４（ａ）に示すように、入力される音声信号が予め設定された閾値を越えるか否かを判定し、図１４（ｂ）に示すように、閾値以下のレベルをミュートし、閾値を超えた発言部分のみを抽出する。また、会議サーバＳＶの呼制御部１３は、ラウドスピーカテーブル１４３の参加者ＩＤのうち、ノイズキャンセラ１２２においてミュートされた時刻に対応する音声データをＮＵＬＬ（データなし）に書き換え、これを発言者テーブル１４４として記憶部１４に記憶する（図１０（５））。発言者テーブル１４４の参加者ＩＤがＮＵＬＬの時間は、発言が無かった時間として扱われる。
【００３７】
ノイズキャンセラ１２２を通過した音声データは、音声・テキスト変換部１２３に入力される（図１０（６））。音声・テキスト変換部１２３では、音声認識技術により音声データを文字データに変換する。また、同時に、ノイズキャンセラ１２２を通過した音声データは、記憶部１４に保存される（図１０（７））。この音声データは、ユーザにより必要に応じて参照され、またはダウンロードされる。
【００３８】
音声・テキスト変換部１２３により出力された文字データは、単位時間ごとにリアルタイムテキストテーブル１４５に記録される（図１０（８））。リアルタイムテキストテーブル１４５は、発言者テーブル１４４と参加者テーブル１４２を単位時間をキーにして合成し、テキストデータを追加したものである。このリアルタイムテキストデータのうち、「参加者名」、「テキストデータ」を単位時間ごとに、各端末ＰＣ１，ＰＣ２，ＰＣ３の表示器に出力することで、図１５に示すように、会議の発言及び発言者が文字データとしてリアルタイムで表示できるようになる。
【００３９】
さらに、会議サーバＳＶの呼制御部１３は、リアルタイムテキストテーブル１４５において、同一発言者が連続している時間帯のテキストデータを文章単位にまとめて、議事録の形式として議事録テーブル１４６に記録する（図１０（９））。この議事録テーブル１４６の内容は、図１６に示すように、「ちょっと」や「このばあい」、「ごらん」というように見やすい文章となる。
【００４０】
（ビデオ会議接続動作）  
ここで、上記端末ＰＣ１，ＰＣ２，ＰＣ３間で通信リンクを形成する動作について説明する。図１７は、上記端末ＰＣ１，ＰＣ２，ＰＣ３間で通信リンクを形成する動作を示すシーケンス図である。
【００４１】
会議サーバＳＶにログインされた端末ＰＣ１にて会議サーバＳＶにログインされる端末ＰＣ２への発信操作が行われたとする（図１７（１））。そうすると、端末ＰＣ１は、会議サーバＳＶへ発信要求を送信する（図１７（２））。会議サーバＳＶは、上記発信要求を受信すると、発信要求を端末ＰＣ２に送出して着信報知を行わせる（図１７（３））。この着信報知は、鳴音の発生または着信表示により行なわれる。そして、この着信報知に対しユーザが応答操作を行うと、端末ＰＣ２は接続応答信号を会議サーバＳＶに送信する（図１７（４））。
【００４２】
接続応答信号を受信すると会議サーバＳＶは、端末ＰＣ１，ＰＣ２間の通信リンクを形成する。（図１７（５）。かくして、端末ＰＣ１，ＰＣ２間で通話が可能になる。
【００４３】
端末ＰＣ１，ＰＣ２間で通話が行われている状態で、例えば端末ＰＣ１のユーザが、端末ＰＣ３を会議通話に加える操作を行なったとする。そうすると端末ＰＣ１からその要求情報が会議サーバＳＶに送られる（図１７（６））。
【００４４】
この要求情報を受信すると会議サーバＳＶは、端末ＰＣ１と端末ＰＣ２との間の通信リンクを保持したまま、要求情報を通信ネットワークＮＷ経由で端末ＰＣ３に送出して着信報知を行なわせる。この着信報知は、鳴音の発生または着信表示により行なわれる。そして、この着信報知に対しユーザが応答操作を行うと、端末ＰＣ３は接続応答信号を会議サーバＳＶに送信する（図１７（８））。
【００４５】
接続応答信号を受信すると会議サーバＳＶは、各端末ＰＣ１，ＰＣ２，ＰＣ３に対し使用する音声チャネル（ＩＰアドレス及びポート番号）を指定し、信号処理部１２のラウドスピーカセレクタ１２１に接続する。
【００４６】
以上のように上記実施形態では、端末ＰＣ１，ＰＣ２，ＰＣ３間で会議通信接続が行なわれるときに、各端末ＰＣ１，ＰＣ２，ＰＣ３に対し、通信ネットワークＮＷ中で使用する音声チャネル（＃１〜＃３）を割り当てると共に、ラウドスピーカセレクタ１２１にて各端末ＰＣ１，ＰＣ２，ＰＣ３から送出される音声信号の信号レベルを比較して最大の信号レベルの音声信号を選択し、呼制御部１３にて選択された音声チャネルに対応する参加者ＩＤと、単位時間とを対応付けたラウドスピーカテーブル１４３を記憶部１４に記憶しておき、音声・テキスト変換部１２３にて選択された音声信号をテキストデータ（文字列）に変換する時に、その変換時刻をキーとして、参加者ＩＤと、参加者名と、テキストデータとを対応付けたリアルタイムテキストテーブル１４５を生成し、同じ参加者ＩＤに対応するテキストデータが連続するか否かを判定し、同じ参加者ＩＤが連続すると判定した文テキストデータを合成して文章を生成し、この文章と、参加者名とを対応付けた議事録テーブル１４６を生成するようにしている。
【００４７】
従って、ラウドスピーカセレクタ１２１を用いると共に、参加者テーブル１４２及びラウドスピーカテーブル１４３を用いることで、会議の発言とその発言者をリアルタイムテキストテーブル１４５により確認できる。さらに、リアルタイムテキストテーブル１４５における同じ発言者のテキストデータを合成することで、文章とその発言者とをリンクさせた議事録情報を自動的に生成することができる。また、以前では、音声をテキストデータに変換していたので、その音声が発言者の音声であったのか選別することができなかったが、本実施形態により、音声をテキストデータに変換する前に、ラウドスピーカセレクタ１２１にて発言者の音声を選択しているので、会議サーバＳＶ全体としての演算処理の処理負荷を軽減できる。
【００４８】
また、上記実施形態では、ノイズキャンセラ１２２において、ラウドスピーカセレクタ１２１で選択された音声信号のうち閾値以下をノイズとして除去するようにしているので、聞き取り難い音声や例えば音響エコーを抑制でき、これにより議事録作成における信頼性をさらに高めることができる。
【００４９】
さらに、上記実施形態では、議事録情報を会議参加中の端末ＰＣ１，ＰＣ２，ＰＣ３の表示器に表示させるようにしているので、ビデオ会議において発言を文字情報でリアルタイムに確認できる。
【００５０】
（その他の実施形態）  
上記実施形態では、ラウドスピーカテーブル１４３からノイズキャンセラ１２２で消去した参加者ＩＤを除いた発言者テーブル１４４を生成する例について説明したが、ラウドスピーカテーブル１４３と参加者テーブル１４２とを組み合わせてリアルタイムテキストテーブル１４５を生成するようにしてもよい。
【００５１】
また、上記実施形態では、端末の会議接続、音声チャネルの割り当てから議事録作成まで、会議サーバＳＶにより実行する例について説明したが、端末の会議接続、音声チャネルの割り当てを別のサーバにより実行するようにしてもよい。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１１…ＩＰ制御部、１２…信号処理部、１３…呼制御部、１４…記憶部、１５…データハイウェイ、１２１…ラウドスピーカセレクタ、１２２…ノイズキャンセラ、１２３…音声・テキスト変換部、１３１…認証制御部、１３２…音声チャネル割り当て部、１３３…テーブル作成部、１３４…発言者−テキスト関連付け部、１３５…議事録生成部、１３６…議事録通知部、１４１…ログイン管理テーブル、１４２…参加者テーブル、１４３…ラウドスピーカテーブル、１４４…発言者テーブル、１４５…リアルタイムテキストデータテーブル、１４６…議事録テーブル、ＳＶ…会議サーバ、ＮＷ…通信ネットワーク、ＰＣ１〜ＰＣｎ…端末。
【図１】
2012119914.tif 000003
【図２】
2012119914.tif 000004
【図３】
2012119914.tif 000005
【図４】
2012119914.tif 000006
【図５】
2012119914.tif 000007
【図６】
2012119914.tif 000008
【図７】
2012119914.tif 000009
【図８】
2012119914.tif 000010
【図９】
2012119914.tif 000011
【図１０】
2012119914.tif 000012
【図１１】
2012119914.tif 000013
【図１２】
2012119914.tif 000014
【図１３】
2012119914.tif 000015
【図１４】
2012119914.tif 000016
【図１５】
2012119914.tif 000017
【図１６】
2012119914.tif 000018
【図１７】
2012119914.tif 000019
【手続補正書】
【提出日】平成23年11月10日(2011.11.10)
【手続補正２】
【補正対象書類名】特許請求の範囲
【補正対象項目名】全文
【補正方法】変更
【補正の内容】
【特許請求の範囲】
【請求項１】
通信ネットワークに接続される複数の端末の交換処理を実行するサーバ装置において、
前記音声信号の信号レベルに基づいて前記複数の端末から送出された音声信号を選択する選択手段と、
前記選択された音声信号を文字列に変換する変換手段と、
前記文字列を、前記選択された音声信号を送出する端末のユーザを特定するユーザ番号と前記選択された音声信号が送出された時間とを対応付けて管理テーブルに記憶する記憶制御手段とを具備するサーバ装置。
【請求項２】
前記選択手段は、前記複数の音声信号の信号レベルのうち、最大の信号レベルの音声信号を選択する請求項１記載のサーバ装置。
【請求項３】
さらに、前記管理テーブルにおいて同じユーザ番号の連続する文字列を結合して文章を生成する文字列制御手段と、
前記文章と、前記ユーザ番号とを対応付けた議事録テーブルを生成する議事録生成手段とをさらに具備する請求項１記載のサーバ装置。
【請求項４】
さらに、前記選択された音声信号のうち予め決められた信号レベル以下のとき、前記選択された音声信号をノイズとして除去またはミュートし、除去後に前記選択された音声信号を前記変換手段に供給するノイズ除去手段を備える請求項１記載のサーバ装置。
【請求項５】
前記議事録テーブルを記憶する議事録記憶手段をさらに備える請求項３記載のサーバ装置。
【請求項６】
前記議事録テーブルを、前記複数の端末のうちの少なくとも１つに向けて送出する第１の送出手段を備える請求項３記載のサーバ装置。
【請求項７】
前記制御手段は、前記ユーザ番号と前記文字列とを対応付けたデータを、前記複数の端末のうちの少なくとも１つに向けて送出する第２の送出手段を備える請求項３記載のサーバ装置。
【請求項８】
音声信号の信号レベルに基づいて通信ネットワークに接続された複数の端末から送出された音声信号を選択し、
前記選択された音声信号を文字列に変換し、
前記文字列を、前記選択された音声信号を送出する端末のユーザを特定するユーザ番号と前記選択された音声信号に対する送出時間とを対応付けて管理テーブルに記憶する議事録生成方法。
【請求項９】
前記選択することは、前記複数の音声信号の信号レベルのうち、最大の信号レベルの音声信号を選択する請求項８記載の議事録生成方法。
【請求項１０】
さらに、前記管理テーブルに記憶され同じユーザ番号の連続する文字列を結合して文章を生成し、
前記文章と、前記ユーザ番号とを対応付けた議事録テーブルを生成することをさらに備える請求項８記載の議事録生成方法。
【請求項１１】
さらに、前記選択された音声信号のうち予め決められた信号レベル以下のとき、前記選択された音声信号をノイズとして除去またはミュートすることを備える請求項８記載の議事録生成方法。
【請求項１２】
前記議事録テーブルを記憶することをさらに備える請求項１０記載の議事録生成方法。
【請求項１３】
前記議事録テーブルを、前記複数の端末のうちの少なくとも１つに向けて送出することを備える請求項１０記載の議事録生成方法。
【請求項１４】
前記結合することは、前記ユーザ番号と前記文字列とを対応付けたデータを、前記複数の端末のうちの少なくとも１つに向けて送出することを備える請求項１０記載の議事録生成方法。
【請求項１５】
コンピュータで実行可能な指示を記憶するコンピュータで読み取り可能な不揮発性の記憶媒体であって、前記コンピュータを
音声信号の信号レベルに基づいて通信ネットワークに接続された複数の端末から送出された音声信号を選択し、
前記選択された音声信号を文字列に変換し、
前記文字列を、前記選択された音声信号を送出する端末のユーザを特定するユーザ番号と前記選択された音声信号に対する送出時間とを対応付けて管理テーブルに記憶するものとして動作させるコンピュータで読み取り可能な不揮発性の記憶媒体。
【請求項１６】
前記コンピュータに音声信号を選択させる指示は、前記複数の音声信号の信号レベルのうち、最大の信号レベルの音声信号を前記コンピュータに選択させる請求項１５記載のコンピュータで読み取り可能な不揮発性の記憶媒体。
【請求項１７】
前記コンピュータで実行可能な指示は、さらに、前記管理テーブルに記憶され同じユーザ番号の連続する文字列を結合して文章を前記コンピュータに生成させ、
前記文章と、前記ユーザ番号とを対応付けた議事録テーブルを前記コンピュータに生成させる請求項１５記載のコンピュータで読み取り可能な不揮発性の記憶媒体。
【請求項１８】
前記コンピュータで実行可能な指示は、さらに、前記選択された音声信号のうち予め決められた信号レベル以下のとき、前記選択された音声信号をノイズとして前記コンピュータに除去またはミュートさせる請求項１５記載のコンピュータで読み取り可能な不揮発性の記憶媒体。
【請求項１９】
前記コンピュータで実行可能な指示は、前記議事録テーブルを前記コンピュータに記憶させる請求項１５記載のコンピュータで読み取り可能な不揮発性の記憶媒体。
【請求項２０】
前記コンピュータで実行可能な指示は、前記議事録テーブルを、前記複数の端末のうちの少なくとも１つに向けて前記コンピュータに送出させる請求項１７記載のコンピュータで読み取り可能な不揮発性の記憶媒体。